(57)【要約】【課題】カバー取り付け構造に合理的な改良を施してカバー取り付け構造における構成の簡素化やコストの削減を図れるようにする。【解決手段】刈取搬送部４の左右両側端部にサイドカバー３８を取り付け、左右のサイドカバー３８にわたる横長で左右に並ぶ複数の引起装置１２の上端部を覆うように形成した上部カバー３９を刈取搬送部４の上部に配備し、左右のサイドカバー３８に、上部カバー３９における左右の端縁部分３９ａの外面を覆うフランジ３８Ａを形成し、引起装置１２を支持する支持フレーム２１からサイドカバー３８に向けて延出するサイドカバー用の左右の取付部材４４に、上部カバー３９の左右の端縁部分３９ａを下方から受け止め支持する支持具４５を立設し、支持具４５及びフランジ３８Ａにより上部カバー３９の左右の端縁部分３９ａを上下方向から挟持して上部カバー３９を固定するように構成する。【選択図】図７
2011155882.tif 000002
【特許請求の範囲】
【請求項１】
複数の引起装置を左右方向に並べて配備した刈取搬送部の左右両側端部にサイドカバーを取り付け、左右の前記サイドカバーにわたる横長で前記複数の引起装置の上端部を覆うように形成した上部カバーを前記刈取搬送部の上部に配備した自脱型コンバインのカバー取り付け構造であって、
左右の前記サイドカバーに、前記上部カバーにおける左右の端縁部分の外面を覆うフランジを形成し、
前記引起装置を支持する支持フレームから前記サイドカバーに向けて延出するサイドカバー取り付け用の左右の取付部材に、前記上部カバーの前記左右の端縁部分を下方から受け止め支持する支持具を立設し、
前記支持具及び前記フランジにより前記上部カバーの前記左右の端縁部分を上下方向から挟持して前記上部カバーを固定するように構成してある自脱型コンバインのカバー取り付け構造。
【請求項２】
前記上部カバーを、その上端部を側面視で略逆Ｕ字状に湾曲させた板金材で構成し、
前記支持具を、左右向きの支持部を備える逆Ｌ字状に屈曲形成した丸棒鋼材により構成し、かつ、前記支持部で前記上部カバーの前記左右の端縁部分における前記上端部の頂点部位を下方から受け止め支持するように配置してある請求項１に記載の自脱型コンバインのカバー取り付け構造。
【請求項３】
左右の前記サイドカバーを、その内側面から前記刈取搬送部の内方に向けて左右向きに突出する複数の突起を前記フランジとともに一体形成した樹脂成形品で構成し、
左右の前記サイドカバーを前記刈取搬送部の左右両側端部に前記刈取搬送部の左右外方側から取り付けるのに伴って、前記複数の突起が前記上部カバーにおける前記支持具の支持位置よりも下側に位置する前後の内面を案内して前記上部カバーの前後方向での位置決めを行なうように、前記複数の突起を左右の前記サイドカバーにおける前記支持具に対する前後の位置に配置してある請求項１又は２に記載の自脱型コンバインのカバー取り付け構造。
【請求項４】
前記支持フレームに、前記引起装置の引起爪が引き起こし経路から戻り経路に移動する際に接当するクッションゴムを支持する複数の支持台を前記複数の引起装置に対応して配備し、
前記刈取搬送部の左右両端部に配置する前記支持台に前記取付部材と前記クッションゴムとを共締め連結により取り付けるように構成してある請求項１〜３のいずれか一つに記載の自脱型コンバインのカバー取り付け構造。
【請求項５】
前記取付部材に作業灯の取り付けを可能にする作業灯取付部を備え、この作業灯取付部に前記サイドカバーと前記作業灯とを共締め連結により取り付けるように構成してある請求項１〜４のいずれか一つに記載の自脱型コンバインのカバー取り付け構造。
【請求項６】
前記取付部材にサイドミラーの取り付けを可能にするサイドミラー取付部を備え、このサイドミラー取付部に前記サイドカバーと前記サイドミラーとを共締め連結により取り付けるように構成してある請求項１〜５のいずれか一つに記載の自脱型コンバインのカバー取り付け構造。
【請求項７】
前記支持フレームに連結する左右向きの連結板における前記刈取搬送部の左右一端側に位置する左右一端部に上下向きの支持板の下端部を溶接してＬ字状に連結し、前記連結板及び前記支持板における前記刈取搬送部の左右一端側に位置する左右一側端にサイドカバー取り付け用の第１取付板を溶接し、前記支持板の上端部における前記刈取搬送部の左右一端側に位置する左右一側端にサイドカバー取り付け用の第２取付板を溶接して前記取付部材を構成し、前記第２取付板に前記支持具を溶接してある請求項１〜６のいずれか一つに記載の自脱型コンバインのカバー取り付け構造。
【請求項８】
前記取付部材に配線固定用の固定具の取り付けを可能にする取付部を備えてある請求項１〜７のいずれか一つに記載の自脱型コンバインのカバー取り付け構造。
【発明の詳細な説明】
【技術分野】
【０００１】
本発明は、複数の引起装置を左右方向に並べて配備した刈取搬送部の左右両側端部にサイドカバーを取り付け、左右の前記サイドカバーにわたる横長で前記複数の引起装置の上端部を覆うように形成した上部カバーを前記刈取搬送部の上部に配備した自脱型コンバインのカバー取り付け構造に関する。
【背景技術】
【０００２】
上記のような自脱型コンバインのカバー取り付け構造としては、例えば、左右両側の穀稈引起体（引起装置に相当）の上部にピン状の受材を左右向きの姿勢で固定し、かつ、受材を挟持する弾性板からなる係合体を上面カバー（上部カバーに相当）の左右両側の下面に固定し、上面カバーの各係合体で対応する受材を挟持することにより刈取搬送部の上部に上面カバーを取り付け、この上面カバーの左右両端部の上面に、刈取搬送部の左右の両側部に取り付ける左右の側面カバー（サイドカバーに相当）の上部を重合させるように構成したものがある（例えば特許文献１参照）。
【先行技術文献】
【特許文献】
【０００３】
【特許文献１】実開昭６２−２０４４４２号公報
【発明の概要】
【発明が解決しようとする課題】
【０００４】
上記の構成では、左右両側の穀稈引起体の上部に固定したピン状の受材と上部カバーの左右両側の下面に固定した挟持用の係合体との係合で上部カバーの取り付けを行うことから、上部カバーの取り付けに要する部品点数が多くなり、カバー取り付け構造としての構成の簡素化やコストの削減を図る上において改善の余地があった。
【０００５】
本発明の目的は、カバー取り付け構造に合理的な改良を施すことによりカバー取り付け構造における構成の簡素化やコストの削減を図れるようにすることにある。
【課題を解決するための手段】
【０００６】
本発明の第１の課題解決手段では、複数の引起装置を左右方向に並べて配備した刈取搬送部の左右両側端部にサイドカバーを取り付け、左右の前記サイドカバーにわたる横長で前記複数の引起装置の上端部を覆うように形成した上部カバーを前記刈取搬送部の上部に配備した自脱型コンバインのカバー取り付け構造において、
左右の前記サイドカバーに、前記上部カバーにおける左右の端縁部分の外面を覆うフランジを形成し、
前記引起装置を支持する支持フレームから前記サイドカバーに向けて延出するサイドカバー取り付け用の左右の取付部材に、前記上部カバーの前記左右の端縁部分を下方から受け止め支持する支持具を立設し、
前記支持具及び前記フランジにより前記上部カバーの前記左右の端縁部分を上下方向から挟持して前記上部カバーを固定するように構成してある。
【０００７】
この課題解決手段によると、上部カバーを、その左右の端縁部分が左右の取付部材に立設した左右の支持具により下方から受け止め支持されるように左右の支持具に載置し、その後、左右のサイドカバーを、それらのフランジが上部カバーにおける左右の端縁部分の外面を覆うように左右の取付部材に取り付けることにより、上部カバーの左右の端縁部分を支持具とフランジとで挟持することができ、上部カバーを刈取搬送部の上部に複数の引起装置の上端部を覆う状態で固定することができる。
【０００８】
つまり、左右のサイドカバーにフランジを形成し、サイドカバー取り付け用の左右の取付部材に支持具を立設するだけの簡単な構成で、複数の引起装置の上端部を覆う上部カバーを刈取搬送部の上部に固定配備することができ、上部カバーの取り付けに要する構成の簡素化やコストの削減を図ることができる。
【０００９】
本発明の第２の課題解決手段では、上記第１の課題解決手段において、
前記上部カバーを、その上端部を側面視で略逆Ｕ字状に湾曲させた板金材で構成し、
前記支持具を、左右向きの支持部を備える逆Ｌ字状に屈曲形成した丸棒鋼材により構成し、かつ、前記支持部で前記上部カバーの前記左右の端縁部分における前記上端部の頂点部位を下方から受け止め支持するように配置してある。
【００１０】
この課題解決手段によると、上端部を側面視で略逆Ｕ字状に湾曲させた板金材で上部カバーを構成することにより、左右のサイドカバーにわたる横長の上部カバーの強度及び保形性を高めることができる。又、これにより比較的に重くなる上部カバーを丸棒鋼材からなる左右の支持部で強固に支持することができる。
【００１１】
しかも、上部カバーを刈取搬送部の上部に取り付ける際には、上部カバーを、その上端部の頂点部位が左右の支持具における左右向きの支持部で下方から受け止め支持されるように左右の支持具に載置することにより、上部カバーにおける頂点部位の前後方向での位置決めを行なうことができるとともに、上部カバーに対する支持領域が長い左右向きの支持部で上部カバーを安定性良く支持することができる。これにより、上部カバーの取り付けを簡単にしながら上部カバーを刈取搬送部の上部に安定性良く取り付けることができる。
【００１２】
本発明の第３の課題解決手段では、上記第１又は２の課題解決手段において、
左右の前記サイドカバーを、その内側面から前記刈取搬送部の内方に向けて左右向きに突出する複数の突起を前記フランジとともに一体形成した樹脂成形品で構成し、
左右の前記サイドカバーを前記刈取搬送部の左右両側端部に前記刈取搬送部の左右外方側から取り付けるのに伴って、前記複数の突起が前記上部カバーにおける前記支持具の支持位置よりも下側に位置する前後の内面を案内して前記上部カバーの前後方向での位置決めを行なうように、前記複数の突起を左右の前記サイドカバーにおける前記支持具に対する前後の位置に配置してある。
【００１３】
この課題解決手段によると、左右のサイドカバーを刈取搬送部の左右両側端部に刈取搬送部の左右外方側から取り付ける場合に、左右のサイドカバーに一体形成した複数の突起が、左右のサイドカバーに対する上部カバーの前後方向での位置決めを行なうようになることから、上部カバーの取り付けに要する構成の複雑化などを招くことなく、上部カバーを刈取搬送部及び左右のサイドカバーに対する適正な位置に簡単かつ確実に取り付けることができる。
【００１４】
又、各突起は、支持具の支持位置よりも下側に位置する前後の内面に案内作用することにより、上部カバーの重量は支持具に掛かるようになり、各突起には上部カバーの重量が掛からないことから、上部カバーの重量が各突起に掛かることに起因した各突起の損傷を防止することができる。
【００１５】
本発明の第４の課題解決手段では、上記第１〜３の課題解決手段のいずれか一つにおいて、
前記支持フレームに、前記引起装置の引起爪が引き起こし経路から戻り経路に移動する際に接当するクッションゴムを支持する複数の支持台を前記複数の引起装置に対応して配備し、
前記刈取搬送部の左右両端部に配置する前記支持台に前記取付部材と前記クッションゴムとを共締め連結により取り付けるように構成してある。
【００１６】
この課題解決手段によると、クッションゴム支持用の支持台を取付部材の取り付けに利用することにより、取付部材を取り付けるための専用の部材を支持フレームに備える必要がないことから、左右のサイドカバー及び上部カバーの取り付けに要する構成の簡素化やコストの削減を更に図ることができる。
【００１７】
本発明の第５の課題解決手段では、上記第１〜４の課題解決手段のいずれか一つにおいて、
前記取付部材に作業灯の取り付けを可能にする作業灯取付部を備え、この作業灯取付部に前記サイドカバーと前記作業灯とを共締め連結により取り付けるように構成してある。
【００１８】
この課題解決手段によると、支持フレームにサイドカバー取り付け用の取付部材と作業灯取り付け用の取付部材とを個別に備える必要がないことから、左右のサイドカバー及び上部カバーの取り付けとともに作業灯の取り付けに要する構成の簡素化やコストの削減を図ることができる。
【００１９】
本発明の第６の課題解決手段では、上記第１〜５の課題解決手段のいずれか一つにおいて、
前記取付部材にサイドミラーの取り付けを可能にするサイドミラー取付部を備え、このサイドミラー取付部に前記サイドカバーと前記サイドミラーとを共締め連結により取り付けるように構成してある。
【００２０】
この課題解決手段によると、支持フレームにサイドカバー取り付け用の取付部材とサイドミラー取り付け用の取付部材とを個別に備える必要がないことから、左右のサイドカバー及び上部カバーの取り付けとともにサイドミラーの取り付けに要する構成の簡素化やコストの削減を図ることができる。
【００２１】
本発明の第７の課題解決手段では、上記第１〜６の課題解決手段のいずれか一つにおいて、
前記支持フレームに連結する左右向きの連結板における前記刈取搬送部の左右一端側に位置する左右一端部に上下向きの支持板の下端部を溶接してＬ字状に形成し、前記連結板及び前記支持板における前記刈取搬送部の左右一端側に位置する左右一側端にサイドカバー取り付け用の第１取付板を溶接し、前記支持板の上端部における前記刈取搬送部の左右一端側に位置する左右一側端にサイドカバー取り付け用の第２取付板を溶接して前記取付部材を構成し、前記第２取付板に前記支持具を溶接してある。
【００２２】
この課題解決手段によると、取付部材にサイドカバーの上下２箇所を取り付けることから、取付部材にサイドカバーを安定性良く強固に取り付けることができる。又、取付部材の上部に位置する第２取付板に支持具を溶接することにより支持具の上方への延出長さを短くすることができる。
【００２３】
そして、取付部材を溶接構造により強固に構成し、取付部材の第２取付板に支持具を溶接することにより、支持フレームにおける取付部材の連結位置と取付部材におけるサイドカバーの取り付け位置と支持具による上部カバーの支持位置との位置関係を一定にすることができる。これにより、上部カバーにおける左右の端縁部分を左右の支持具に受け止め支持させた後、左右の取付部材に左右のサイドカバーを取り付けることで行われる、上部カバーにおける左右の端縁部分の左右の支持具と左右のサイドカバーのフランジとによる挟持を簡単かつ確実に行うことができ、結果、左右のサイドカバー及び上部カバーの取り付けを簡単にすることができる。
【００２４】
本発明の第８の課題解決手段では、上記第１〜７の課題解決手段のいずれか一つにおいて、
前記取付部材に配線固定用の固定具の取り付けを可能にする取付部を備えてある。
【００２５】
この課題解決手段によると、刈取搬送部に装備する作業灯などに対する配線の引き回しが行い易くなり、作業灯などの取り付けを効率良く行うことができる。
【図面の簡単な説明】
【００２６】
【図１】自脱型コンバインの全体側面図である。
【図２】刈取搬送部の正面図である。
【図３】刈取搬送部の要部の構成を示す左側面図である。
【図４】刈取搬送部の要部の構成を示す右側面図である。
【図５】刈取搬送部の構成を示す要部の縦断左側面図である。
【図６】刈取搬送部の構成を示す要部の平面図である。
【図７】カバー取り付け構造を示す刈取搬送部の左上部の縦断正面図である。
【図８】カバー取り付け構造を示す刈取搬送部の右上部の縦断正面図である。
【図９】カバー取り付け構造を示す刈取搬送部の上部の縦断右側面図である。
【図１０】刈取搬送部の左上部の構成を示す左側面図である。
【図１１】取付部材の構成を示す斜視図である。
【発明を実施するための形態】
【００２７】
以下、本発明を実施するための形態の一例として、本発明に係る自脱型コンバインのカバー取り付け構造を、４条刈り仕様の自脱型コンバインに適用した実施形態を図面に基づいて説明する。
【００２８】
図１に示すように、自脱型コンバインは、角パイプ材などの複数の鋼材を連結して車体フレーム１を構成し、車体フレーム１における前部の右側領域に搭乗運転部２を形成してある。車体フレーム１の下部には左右一対のクローラ式走行装置３を装備してある。車体フレーム１における左側の前端部には、作業走行時に車体の前方に位置する水稲や麦などの作物の穀稈を刈り取って搬送する刈取搬送部４を左右向きの軸心Ｐ周りに昇降揺動可能に連結してある。車体フレーム１の左半部には、刈取搬送部４が搬送する刈り取り後の穀稈（以下、刈取穀稈と称する）を受け取って後方に搬送しながら刈取穀稈における穂先側の着粒部に脱穀処理を施し、この脱穀処理で得た処理物に選別処理を施す脱穀装置５を搭載してある。脱穀装置５の後部には、脱穀処理後の刈取穀稈である排ワラの細断排出を可能にする排ワラ細断装置６を連結してある。車体フレーム１の右後部には、揚送スクリュー７により脱穀装置５から搬出した単粒化穀粒を貯留する穀粒タンク８を搭載してある。穀粒タンク８には、貯留した単粒化穀粒の車外への搬出を可能にするスクリュー搬送式の穀粒排出装置９を装備してある。
【００２９】
図１〜４に示すように、刈取搬送部４は、刈取搬送用の伝動系を内蔵するように構成した刈取搬送フレーム１０の後端部を車体フレーム１における左側の前端部に左右向きの軸心Ｐ周りに上下揺動可能に連結してある。そして、この刈取搬送フレーム１０の前端に、作業走行時の走行に伴って車体の前方に位置する未刈り穀稈を掬い上げて分草する５つのデバイダ１１を左右方向に所定間隔をあけて配備し、刈取搬送フレーム１０におけるデバイダ１１の後方箇所に、各デバイダ１１で掬い上げた未刈り穀稈を引き起こす４基の引起装置１２を左右方向に並べて配備してある。又、刈取搬送フレーム１０における引起装置１２の後方箇所に、各引起装置１２で引き起こした未刈り穀稈の株元側を切断するバリカン型の切断装置１３、及び、刈取穀稈を左右中央側に掻き寄せる掻寄搬送装置（図示せず）を配備し、この掻寄搬送装置の後方箇所に、左右中央側に掻き寄せた刈取穀稈を起立姿勢から右倒れ姿勢に姿勢変更しながら後方の脱穀装置５に向けて搬送する供給搬送装置１４を配備してある。
【００３０】
図１に示すように、車体フレーム１と刈取搬送フレーム１０とにわたって腰折れリンク１５を屈伸可能に架設し、かつ、車体フレーム１と腰折れリンク１５とにわたって油圧式の昇降シリンダ１６を架設してあり、この構成から、昇降シリンダ１６の作動で刈取搬送部４を左右向きの軸心Ｐ周りに作業高さ位置と非作業高さ位置とにわたって刈り高さ調節可能に昇降駆動することができる。
【００３１】
図１及び図３〜８に示すように、刈取搬送フレーム１０は、その揺動支点部を形成する左右向きの揺動支点部材１７を車体フレーム１に相対回動自在に支持させてある。そして、この揺動支点部材１７に、その右端部から前方に向けて延出する前後向き部材１８を連結し、この前後向き部材１８に、この延出端（前端）から車体の左右両端に略わたるように左右に向けて延出する左右向き部材１９を連結してある。又、この左右向き部材１９に、デバイダ１１及び切断装置１３などを支持する第１支持フレーム２０を左右向き部材１９から前方に向けて延出するように連結し、引起装置１２及び掻寄搬送装置などを支持する第２支持フレーム２１を立設してある。
【００３２】
第１支持フレーム２０は、対応するデバイダ１１を支持する前後向きの５本のデバイダ支持杆２２を、切断装置１３を支持する左右向きの支持部材２３などで連結して構成してある。そして、左右両端のデバイダ支持杆２２及び左右中央のデバイダ支持杆２２に、対応する引起装置１２の下部を支持する引起下部支持部材２４を溶接してある。第２支持フレーム２１は、左右向き部材１９の左端部に前傾姿勢で立設する支柱部材２５の上端部に、その上端部から右方に向けて延出する左右向き部材２６を連結し、この左右向き部材２６の左右中央部に、揺動支点部材１７の右端部から前方に向けてアーチ状に延出した前後向き部材２７の延出端を連結して構成してある。そして、左右向き部材２６に、各引起装置１２の上部を支持する４本の引起上部支持部材２８を垂下姿勢で連結してある。
【００３３】
尚、揺動支点部材１７、前後向き部材１８、左右向き部材１９、及び第２支持フレーム２１は、それらの内部に刈取搬送用の伝動系を装備するために中空形状に形成して連通接続してある。又、第２支持フレーム２１の支柱部材２５には引き起こし変速用の変速ケース２５Ａなどを備えてある。
【００３４】
図２〜８に示すように、各引起装置１２は、それらの板金製の引起フレーム２９を対応する引起下部支持部材２４及び引起上部支持部材２８に支持させてある。そして、引起フレーム２９の上部に駆動スプロケット３０及びテンションスプロケット３１を配備し、引起フレーム２９の下部にガイドローラ３２を配備し、それらのスプロケット３０，３１及びガイドローラ３２にわたって無端回動チェーン３３を巻き掛けてある。無端回動チェーン３３には、複数の引起爪３４を一定間隔をあけて姿勢変更可能に装備してある。各引起爪３４は、引き起こし領域においては、それらの基端側に形成した被ガイド部３４Ａがガイドローラ３２及び引起フレーム２９に備えたガイドレール（図示せず）に摺接して案内されることにより、それらの遊端側の引起作用部３４Ｂが引起装置１２の外方に向けて延出して未刈り穀稈に作用する引き起こし姿勢を維持する。各引起装置１２の上部には、それらの上部において各引起爪３４が引き起こし経路から戻り経路に移動する際に、引起爪３４との接当により引起爪３４を無端回動チェーン３３に沿った格納姿勢に保持するクッションゴム３５を配備してある。クッションゴム３５は、各引起上部支持部材２８に溶接した左右向きの支持台３６にボルト連結してある。支持台３６には、ボルト連結用の２つの貫通孔（図示せず）を穿設し、２個のナット（図示せず）を溶接してある。引起フレーム２９には、駆動スプロケット３０、テンションスプロケット３１、ガイドローラ３２、無端回動チェーン３３、及びクッションゴム３５などを前方側から覆う引起カバー３７をボルト連結してある。
【００３５】
図１〜１０に示すように、刈取搬送部４の左右両側端部には、側面視で引起装置１２とデバイダ支持杆２２と支柱部材２５とで囲まれた略三角形状の空間の略全域を覆うように形成した樹脂成形品からなるサイドカバー３８を取り付けてある。刈取搬送部４の上部には、左右のサイドカバー３８にわたる横長に形成した板金材からなる上部カバー３９を、左右向き部材２６とともに各引起装置１２の上端部を覆うように配備してある。
【００３６】
左右のサイドカバー３８は、それらの下部側を、左右両端のデバイダ支持杆２２に立設した取付金具４０、支柱部材２５から延設した取付金具４１又は右端のデバイダ支持杆２２から延設した取付金具４２、及び、左右両端の引起フレーム２９から延設した取付金具４３に、それらの左右外方側から接合してボルト連結し、かつ、それらの上端部を、第２支持フレーム２１から左右のサイドカバー３８に向けて延出したサイドカバー取り付け用の左右の取付部材４４に、それらの左右外方側から接合してボルト連結することにより取り付けてある。
【００３７】
左右のサイドカバー３８には、それらの外縁から刈取搬送部４の内方に向けて左右向きに延出するフランジ３８Ａを全周にわたって一体形成してある。そして、それらのフランジ３８Ａの上端部を、上部カバー３９における左右の端縁部分３９ａの外面を覆う被覆部３８ａとして使用するように形成してある。
【００３８】
上部カバー３９は、左右向き部材２６などを前方から覆うとともに下縁側部分３９ｂが各引起カバー３７の上端部に前方から重合する前壁部３９Ａと、側面視で略逆Ｕ字状に湾曲して左右向き部材２６とともに各引起装置１２の上部を上方から覆う上端部３９Ｂとを備える側面視略逆Ｊ字状に形成してある。そして、その上端部３９Ｂにおける左右の端縁部分３９ａを、左右の取付部材４４に立設した支持具４５で下方から受け止め支持させるようにしてある。
【００３９】
各支持具４５は、左右向きの支持部４５Ａを備える逆Ｌ字状に屈曲形成した丸棒鋼材により構成してある。そして、それらの支持部４５Ａで上部カバー３９の上端部３９Ｂにおける左右の端縁部分３９ａの頂点部位ａを下方から受け止め支持するように配置してある。
【００４０】
上記の構成から、刈取搬送部４に左右のサイドカバー３８及び上部カバー３９を取り付ける場合には、上部カバー３９を、その上端部３９Ｂにおける左右の端縁部分３９ａの頂点部位ａが左右の支持具４５における左右向きの支持部４５Ａで下方から受け止め支持されるように左右の支持具４５に載置することにより、上部カバー３９における頂点部位ａの刈取搬送部４に対する前後方向での位置決めを行うことができ、この状態で、左右のサイドカバー３８を、それらのフランジ３８Ａの被覆部３８ａで上部カバー３９における左右の端縁部分３９ａの外面を覆うように刈取搬送部４の左右両側端部に取り付けることにより、左右の支持具４５の支持部４５Ａと左右のサイドカバーにおけるフランジ３８Ａの被覆部３８ａとで上部カバー３９の左右の端縁部分３９ａを上下方向から挟み込み、かつ、左右のサイドカバー３８で上部カバー３９を左右から挟み込むようにして、上部カバー３９を刈取搬送部４の所定位置に簡単に安定性良く固定することができ、各引起装置１２の上部を左右向き部材２６などとともに上部カバー３９で覆い隠すことができる。
【００４１】
左右のサイドカバー３８は、それらのフランジ３８Ａの上端が側面視で上部カバー３９の上端部３９Ｂよりも小さい曲率半径で湾曲するように形成してある。又、左右のサイドカバー３８の上端部には、その内側面から刈取搬送部４の内方に向けて左右向きに突出する断面十字形状の３本の突起３８Ｂをフランジ３８Ａの内面に近接するように一体形成してある。３本の突起３８Ｂのうち、左右のサイドカバー３８の上端に形成する２本の突起３８Ｂは、刈取搬送部４に左右のサイドカバー３８を取り付ける場合に、その取り付けに伴って、支持具４５の前後に位置して上部カバー３９において略逆Ｕ字状に湾曲する上端部３９Ｂの裾部分３９ｃの内面に案内作用することで、左右のサイドカバー３８の上端部に対する上部カバー３９の前後方向での位置決めを行うように構成してある。左右のサイドカバー３８における上端部の下部側に形成する突起３８Ｂは、刈取搬送部４に左右のサイドカバー３８を取り付ける場合に、その取り付けに伴って、上部カバー３９における前壁部３９Ａの内面に案内作用して、その前壁部３９Ａをフランジ３８Ａとの間に案内してサイドカバー３８における上端部の前端部位に位置決めするように構成してある。左右のサイドカバー３８における上端部の前下部位には、上部カバー３９における前壁部３９Ａの下縁に位置決め作用する段差部３８Ｃを形成してある。
【００４２】
上記の構成から、刈取搬送部４に左右のサイドカバー３８及び上部カバー３９を取り付ける場合には、刈取搬送部４及び左右のサイドカバー３８に対する上部カバー３９の位置決めをより的確に行なうことができ、刈取搬送部４への左右のサイドカバー３８及び上部カバー３９の取り付けをより簡単にすることができる。そして、前述したように上部カバー３９は左右の支持具４５によって下方から受け止め支持することから、上部カバー３９の重量が各突起３８Ｂに作用することに起因した各突起３８Ｂの損傷を防止することができる。
【００４３】
又、左右のサイドカバー３８をフランジ３８Ａ及び３本の突起３８Ｂを一体形成した樹脂成形品で構成することにより、各突起３８Ｂは抜き勾配によって先窄まり状に形成されることになる。これにより、各突起３８Ｂによる上部カバー３９の位置決め案内をより好適に行なうことができる。
【００４４】
左右のサイドカバー３８は、左右両端に位置する引起装置１２の横外側部を覆う前側部分３８Ｄをその上下全長にわたって引起装置１２の横外側部に沿った平坦面状に形成してある。又、その前側部分３８Ｄから後方に向けて延出する後側部分３８Ｅが前側部分３８Ｄよりも刈取搬送部４の左右外方側に張り出すように形成してある。
【００４５】
図７〜９及び図１１に示すように、左右の取付部材４４は、第２支持フレーム２１の左右両端部に位置する支持台３６にクッションゴム３５と共締め連結する左右向きの連結板４４Ａを備え、その連結板４４Ａにおけるサイドカバー側の端部（刈取搬送部４の左右一端側に位置する左右一端部）に上下向きの支持板４４Ｂの下端部を溶接して正面視Ｌ字状に形成し、連結板４４Ａ及び支持板４４Ｂにおけるサイドカバー側の横側端（刈取搬送部４の左右一端側に位置する左右一側端）にサイドカバー取り付け用の第１取付板４４Ｃを取付面が左右外方に面する姿勢で溶接し、支持板４４Ｂの上端部におけるサイドカバー側の横側端にサイドカバー上端部取り付け用の第２取付板４４Ｄを取付面が左右外方に面する姿勢で溶接し、第１取付板４４Ｃの後端に配線固定部材取り付け用の第３取付板４４Ｅを溶接して構成してある。そして、左右の取付部材４４の上部に位置する第２取付板４４Ｄに支持具４５を上方に向けて延出するように溶接してある。
【００４６】
連結板４４Ａにはボルト連結用の２つの貫通孔４４ａを穿設してある。第１取付板４４Ｃには、サイドカバー３８と作業灯４６に備えた連結ステー４６Ａとの共締め連結を可能にする２つの貫通孔４４ｂを穿設し、２つのナット４４Ｆを溶接して、第１取付板４４Ｃをサイドカバー取付部と作業灯取付部とを兼用するように構成してある。第２取付板４４Ｄには、サイドカバー３８とサイドミラー４７のアーム基端部に備えた連結フランジ４７Ａとの共締め連結を可能にする２つの貫通孔４４ｃを穿設し、２つのナット４４Ｇを溶接して、第２取付板４４Ｄをサイドカバー取付部とサイドミラー取付部とを兼用するように構成してある。第３取付板４４Ｅには、作業灯４６などに対する配線（図示せず）を固定する固定具（図示せず）の取り付けを可能にする貫通孔４４ｄを穿設して固定具用の取付部を形成してある。
【００４７】
そして、左右の取付部材４４の第１取付板４４Ｃには、２つの貫通孔４４ｂ及びナット４７Ｆを利用してサイドカバー３８と作業灯４６とを共締め連結により取り付けてある。左側の取付部材４４の第２取付板４４Ｄには、２つの貫通孔４４ｃ及びナット４７Ｇを利用してサイドカバー３８の上端部とサイドミラー４７とを共締め連結により取り付けてある。右側の取付部材４４の第２取付板４４Ｄには、１つの貫通孔４４ｃ及びナット４７Ｇを利用してサイドカバー３８の上端部をボルト連結により取り付けてある。
【００４８】
つまり、左右の取付部材４４に、サイドカバー３８の上端部を取り付ける第２取付板４４Ｄを備え、この第２取付板４４Ｄに上部カバー３９の左右の端縁部分３９ａを下方から受け止め支持する支持具４５を立設することにより、サイドカバー３８の上端部を固定できるようにしながら、支持具４５を延出長さが短い簡単な形状に形成することができ、これにより、左右のサイドカバー３８の取り付けを強固にしながら上部カバー３９の支持構造を簡単にすることができる。しかも、第２取付板４４Ｄに支持具４５を立設することで、上部カバー３９の端縁部分３９ａを覆う被覆部３８ａを備えるサイドカバー３８の上端部の取付位置と、支持具４５による上部カバー３９の支持位置とを簡単に精度良く決定することができ、これにより、サイドカバー３８の被覆部３８ａと支持具４５の支持部４５Ａによる上部カバー３９の所定位置での固定を簡単に精度良く確実に行うことができる。
【００４９】
そして、第２支持フレーム２１の左右両端部に位置するクッションゴム用の支持台３６に、左右の取付部材４４をクッションゴム３５とともに共締め連結することから、取付部材専用の連結部材を装備する必要がなく、又、左右の取付部材４４の第１取付板４４Ｃに、左右のサイドカバー３８とともに作業灯４６を共締め連結することから、サイドカバー専用の取付部材と作業灯専用の取付部材とを個別に装備する必要がなく、更に、左側の取付部材４４の第２取付板４４Ｄに、左側のサイドカバー３８とともにサイドミラー４７を共締め連結することから、サイドカバー専用の取付部材とサイドミラー専用の取付部材とを個別に装備する必要がなく、これにより、左右のサイドカバー３８、左右の作業灯４６、及びサイドカバー３８の取り付けに要する部品点数を削減することができ、これらの取り付けに関する構成の簡素化やコストの削減を図ることができる。
【００５０】
又、作業灯４６の取り付けに兼用する取付部材４４に配線固定部材取り付け用の第３取付板４４Ｅを備えることにより、作業灯４６に対する配線の引き回しが行い易くなり、これにより、作業灯４６の取り付けを効率良く行うことができる。
【００５１】
尚、図１〜４に示す符号４８は左右のサイドカバー３８に取り付けた方向指示灯である。
【００５２】
図１及び図３〜６に示すように、刈取搬送フレーム１０における前後向き部材２７の上部には、搭乗運転部２の左側端箇所に立設した左操作パネル４９と、刈取搬送部４において供給搬送装置１４が搬送する刈取穀稈の穂先側を案内する穂先ガイド板５０との間に位置して、それらの間に形成される隙間を小さくする刈取搬送カバー５１を取り付けてある。これにより、刈り取り搬送時に刈取搬送部４の底部において発生した塵埃の左操作パネル４９と穂先ガイド板５０との間からの吹き上がりなどを防止するようにしてある。
【００５３】
刈取搬送カバー５１は樹脂製で、前カバー部５１Ａと後カバー部５１Ｂとからなる前後２分割構造に構成してある。これにより、刈取搬送カバー５１を前後に長い単一の樹脂成形品で構成する場合に比較して、金型に要するコストを削減することができ、低価格化を実現することができる。
【００５４】
〔別実施形態〕
【００５５】
〔１〕自脱型コンバインとしては、２条刈り仕様、３条刈り仕様、あるいは５条以上の刈り取り仕様に構成したものであってもよい。
【００５６】
〔２〕自脱型コンバインとしては、穀粒タンク８及び穀粒排出装置９に代えて、脱穀装置５からの単粒化穀粒を貯留して籾袋への詰め込みを可能にする袋詰め装置を搭載したものであってもよい。
【００５７】
〔３〕左右のサイドカバー３８を、フランジ３８Ａを有するように形成した板金材で構成してもよい。又、左右のサイドカバー３８としては、それらのフランジ３８Ａを上部カバー３９における左右の端縁部分３９ａの外面を覆うのに必要な長さだけ形成したものであってもよい。
【００５８】
〔４〕上部カバー３９を樹脂成形品で構成してもよい。又、上部カバー３９としては、その上端部３９Ｂを側面視で略逆Ｖ字状又は下側を開放するコの字状などに屈曲させたものであってもよい。
【００５９】
〔５〕左右の取付部材４４としては、サイドカバー取り付け用の取付板を１つだけ備えるように、又は、３つ以上備えるように構成したものであってもよい。又、サイドカバー３８の取り付けだけを行うように構成したものであってもよい。
【００６０】
〔６〕左右の取付部材４４を平面視でＬ字状に屈曲させた帯鋼材などで構成するようにしてもよい。
【００６１】
〔７〕支持具を、上部カバー３９の形状などに応じて角棒鋼材や帯状鋼板あるいは鋼管材などで構成するようにしてもよい。又、支持具を一直線状、あるいは、上部カバー３９の端縁部分３９ａを前後又は左右の２箇所で支持する二股状に形成するようにしてもよい。
【００６２】
〔８〕サイドカバー３８に備える突起３８Ｂの本数は、上部カバー３９の形状などに応じて種々の変更が可能であり、例えばサイドカバー３８の上端部に前後一対だけ備えるようにしてもよい。又、各突起３８Ｂを、その縦断面の形状が円形や矩形になるように形成してもよい。
【００６３】
〔９〕支持フレーム２１に左右の取付部材４４を連結するための専用の連結部を形成するようにしてもよい。又、支持フレーム２１に左右の取付部材４４を溶接するようにしてもよい。
【産業上の利用可能性】
【００６４】
本発明に係る自脱型コンバインのカバー取り付け構造は、刈取搬送部の左右両側端部を覆う左右のサイドカバーと、左右のサイドカバーにわたる横長で複数の引起装置の上端部を覆うように形成した上部カバーとを備える自脱型コンバインに適用することができる。
【符号の説明】
【００６５】
４      刈取搬送部
１２    引起装置
２１    支持フレーム
３４    引起爪
３５    クッションゴム
３６    支持台
３８    サイドカバー
３８Ａ  フランジ
３８Ｂ  突起
３９    上部カバー
３９ａ  端縁部分
３９Ｂ  上端部
４４    取付部材
４４Ａ  連結板
４４Ｂ  支持板
４４Ｃ  第１取付板（作業灯取付部）
４４Ｄ  第２取付板（サイドミラー取付部）
４４ｄ  取付部
４５    支持具
４５Ａ  支持部
４６    作業灯
４７    サイドミラー
ａ      頂点部位
【図１】
2011155882.tif 000003
【図２】
2011155882.tif 000004
【図３】
2011155882.tif 000005
【図４】
2011155882.tif 000006
【図５】
2011155882.tif 000007
【図６】
2011155882.tif 000008
【図７】
2011155882.tif 000009
【図８】
2011155882.tif 000010
【図９】
2011155882.tif 000011
【図１０】
2011155882.tif 000012
【図１１】
2011155882.tif 000013